(57)【特許請求の範囲】
【請求項１】
所定の記憶領域を有する記憶手段と、クレジットカードのカード会員に対して所定の情報を通知する通知手段と、データベースの検索を実行する検索手段と、クレジットカードの利用に対して付与されるポイントを算出するポイント算出手段とを備え、カード会員によってクレジットカードが利用されるときに発生するオーソリ処理を実行し、その実行履歴を示す実行履歴情報を蓄積するデータベースを構築するように構成されているカードシステムにて、前記カード会員がカードの利用に関して使用可能なポイントを管理するポイント管理方法であって、
前記実行履歴情報は、カードの利用時間と、カード会員を識別するカード会員識別子とが対応付けられてなる情報を含んでおり、
前記記憶手段が、非ピーク時間帯にカードの利用が行われる場合に、当該カードの利用に対して付与されるポイントの算出ルールを記憶するステップと、
前記検索手段が、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定するステップと、 
前記通知手段が、将来に前記非ピーク時間帯にカードの利用を行う場合には前記記憶手段に記憶されている算出ルールが適用される旨を示す情報を、前記特定されたカード会員に対して通知するステップと、
前記検索手段が更に、前記算出ルールが適用される旨を示す情報の通知後に発生したオーソリ処理の実行履歴を示す実行履歴情報における複数のカードの利用時間の中から非ピーク時間帯に属するカードの利用時間を検索するステップと、
前記ポイント算出手段が、前記検索されたカードの利用時間に係るカードの利用に対して付与されるポイントを、前記算出ルールに基づいて算出するステップと
を有することを特徴とするポイント管理方法。
【請求項２】
前記データベースには、クレジットカードの加盟店を識別する加盟店識別子と当該加盟店の業種を識別する加盟店業種識別子とが対応付けられてなる加盟店情報が蓄積されており、
前記算出ルールを記憶するステップでは、前記記憶手段が、クレジットカードの加盟店の業種別に定められた前記算出ルールを記憶し、
前記実行履歴情報は、前記カードの利用時間と、前記カード会員識別子と、カードが利用された加盟店を識別する加盟店識別子とが対応付けられてなる情報を含み、
前記カード会員を特定するステップでは、前記検索手段が、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定し、
前記カード会員に対して通知するステップでは、前記通知手段が、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知する、請求項１に記載のポイント管理方法。
【請求項３】
前記算出ルールを記憶するステップでは、前記記憶手段が、クレジットカードの加盟店別に定められた前記算出ルールを記憶し、
前記実行履歴情報は、前記カードの利用時間と、前記カード会員識別子と、カードが利用された加盟店を識別する加盟店識別子とが対応付けられてなる情報を含み、
前記カード会員を特定するステップでは、前記検索手段が、前記検索されたカードの利用時間と対応付けられている加盟店識別子によって識別される加盟店を参照することによって、加盟店別にカード会員を特定し、
前記カード会員に対して通知するステップでは、前記通知手段が、将来に前記非ピーク時間帯にカードの利用を行う場合には前記記憶手段に記憶されており、且つ、前記特定された加盟店に係る算出ルールが適用される旨を示す情報を、前記特定されたカード会員に係る端末に対して通知する、請求項１に記載のポイント管理方法。
【請求項４】
クレジットカードのカード会員によってクレジットカードが利用されるときに発生するオーソリ処理を実行するカード決済システムと、当該オーソリ処理の実行履歴を示す実行履歴情報を蓄積するデータベースを備え、前記カード会員がカードの利用に関して使用可能なポイントを管理するポイント管理装置とを備えるカードシステムであって、
前記実行履歴情報は、カードの利用時間と、カード会員を識別するカード会員識別子とが対応付けられてなる情報を含んでおり、
前記ポイント管理装置は、
非ピーク時間帯にカードの利用が行われる場合に、当該カードの利用に対して付与されるポイントの算出ルールを記憶する記憶手段と、
前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、
将来に前記非ピーク時間帯にカードの利用を行う場合には前記記憶手段に記憶されている算出ルールが適用される旨を示す情報を、前記特定されたカード会員に対して通知する通知手段と、
前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、
前記検索手段によって検索されたカードの利用時間に係るカードの利用に対して付与されるポイントを、前記算出ルールに基づいて算出するポイント算出手段と
を備えることを特徴とするカードシステム。
【請求項５】
クレジットカードのカード会員によってクレジットカードが利用されるときに発生するオーソリ処理を実行するカード決済システムと関連して設けられ、当該オーソリ処理の実行履歴を示す実行履歴情報を蓄積するデータベースを備え、前記カード会員がカードの利用に関して使用可能なポイントを管理するポイント管理装置であって、
前記実行履歴情報は、カードの利用時間と、カード会員を識別するカード会員識別子とが対応付けられてなる情報を含んでおり、
非ピーク時間帯にカードの利用が行われる場合に、当該カードの利用に対して付与されるポイントの算出ルールを記憶する記憶手段と、
前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、
将来に前記非ピーク時間帯にカードの利用を行う場合には前記記憶手段に記憶されている算出ルールが適用される旨を示す情報を、前記特定されたカード会員に対して通知する通知手段と、
前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、
前記検索手段によって検索されたカードの利用時間に係るカードの利用に対して付与されるポイントを、前記算出ルールに基づいて算出するポイント算出手段と
を備えることを特徴とするポイント管理装置。
【請求項６】
前記データベースには、クレジットカードの加盟店を識別する加盟店識別子と当該加盟店の業種を識別する加盟店業種識別子とが対応付けられてなる加盟店情報が蓄積されており、
前記記憶手段には、クレジットカードの加盟店の業種別に定められた前記算出ルールが記憶され、
前記実行履歴情報は、前記カードの利用時間と、前記カード会員識別子と、カードが利用された加盟店を識別する加盟店識別子とが対応付けられてなる情報を含み、
前記特定手段は、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定するように構成され、
前記通知手段は、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知するように構成されている、請求項５に記載のポイント管理装置。
【請求項７】
前記記憶手段には、クレジットカードの加盟店別に定められた前記算出ルールが記憶され、
前記実行履歴情報は、前記カードの利用時間と、前記カード会員識別子と、カードが利用された加盟店を識別する加盟店識別子とが対応付けられてなる情報を含み、
前記特定手段は、前記検索されたカードの利用時間と対応付けられている加盟店識別子によって識別される加盟店を参照することによって、加盟店別にカード会員を特定するように構成され、
前記通知手段は、将来に前記非ピーク時間帯にカードの利用を行う場合には前記記憶手段に記憶されており、且つ、前記特定された加盟店に係る算出ルールが適用される旨を示す情報を、前記特定されたカード会員に対して通知するように構成される、請求項５に記載のポイント管理装置。
【発明の詳細な説明】
【技術分野】
【０００１】
本発明は、カード会員に対して付与されるポイントを管理するポイント管理方法に関し、特にカード会員の消費行動に応じて発生する処理が一定期間に集中することを回避することができるポイント管理方法、その方法を実施するためのカードシステム、およびそのカードシステムに用いられるポイント管理装置に関する。
【背景技術】
【０００２】
特定のサービスを享受することができる会員がそのサービスを享受する際に、その享受者が会員であるか否か、または会員がそのサービスを享受するために必要な要件を具備しているか否か等を確認する場合がある。例えば、クレジットカードの場合、カード会員が自己のクレジットカードを用いて支払を行うとき、当該クレジットカードの利用限度額を確認したり不正利用を防止したりするために、与信（オーソリ）処理を行っている。
【０００３】
このようなオーソリ処理の場合、カード会員がクレジットカードを使用するときにリアルタイムで行う必要があるため、レスポンス時間の短縮化が要求される。
【０００４】
一方、消費者の購買パターンに関して、中元歳暮の時期の週末又は祝祭日、若しくはいわゆるゴールデンウィーク等の夕刻においてクレジットカードの使用が集中する傾向がある。このようにクレジットカードの使用が集中する特定の時間帯（ピーク時間帯）においても、オーソリ処理を迅速に行うことができるように、クレジットカード会社はピーク時間帯にあわせてオーソリ処理に係る機器の増設を行っている。
【０００５】
また、本来はすべてのカード利用に対してオーソリ処理を実行することが望ましいが、利用額が一定額（フロアリミットと呼ばれる）を超えたときにのみオーソリ処理を行うような運用がなされている場合がある。この場合、前述したピーク時間帯においては、フロアリミットを一時的に上げることにより、オーソリ処理の件数の低減化を図るといった対策がとられることもある。
【０００６】
さらに、特許文献１には、通信ネットワークのトラフィックが多い場合にサーバにアクセスしてきた利用者に対して、他の時間帯に利用すれば販売価格が割引きされることを通知することにより、トラフィックの集中しない時間帯の利用を促進し、トラフィックの集中する時間帯の利用を抑制することができる商品販売方法が開示されている。
【特許文献１】特開２００２−３１８９２９号公報
【発明の開示】
【発明が解決しようとする課題】
【０００７】
しかし、クレジットカードの利用１回当たりの売上高が減少する傾向にある今日において、カード利用件数が増えたとしてもトータルの利益はそれほど増えないため、前述した機器の増設がクレジットカード会社にとって大きな負担となっている。
【０００８】
また、フロアリミットを上げることによりオーソリ処理の件数を減らした場合、クレジットカード会社のリスクが増大するという問題が生じる。
【０００９】
したがって、以上のような機器の増設を行ったり、フロアリミットを上げたり等の対策を行うことなく、ピーク時間帯においてもオーソリ処理を迅速に行うことができるようにすることが望ましい。
【００１０】
さらに、特許文献１に開示されている商品販売方法の場合、利用者は実際にサーバにアクセスしてきたときに通知を受けることになるため、この時点で既にトラフィックが発生してしまっているという問題がある。トラフィックの集中を回避するためには、このような余分なトラフィックを発生させないことが望ましい。
【００１１】
ところで、クレジットカードの締め日に伴って生じる処理（例えば、月次請求処理など）は、当然のことながら締め日に集中することになるため、オーソリ処理の場合と同様、特別の対策を施すことにより処理の集中を回避する必要が生じる。しかし、このような締め日に伴って生じる処理の場合、締め日を複数設ける（例えば、一般会員の締め日とゴールド会員の締め日とを異なる日とする）ことによって、処理分散を図ることが可能である。
【００１２】
これに対し、オーソリ処理の場合では、予め処理が集中する時間が分かっていたとしても、前述したようにして処理分散を図ることはできない。これは、オーソリ処理が、カード会員のカード利用に応じて発生するものであるためである。すなわち、オーソリ処理を分散させるためには、カード会員のカード利用を分散させなければならないが、クレジットカード会社側で当該カード利用の時期をコントロールすることは極めて困難であるからである。
【００１３】
本発明は斯かる事情に鑑みてなされたものであり、その目的は、カード会員のカード利用が特定の期間に集中することを回避させることにより、オーソリ処理などのカード利用時に発生する処理を分散させることができるポイント管理方法、その方法を実施するためのカードシステム、およびそのカードシステムに用いられるポイント管理装置を提供することにある。
【課題を解決するための手段】
【００１４】
前述した課題を解決するために、本発明に係るポイント管理方法は、所定の記憶領域を有する記憶手段と、クレジットカードのカード会員に対して所定の情報を通知する通知手段と、データベースの検索を実行する検索手段と、クレジットカードの利用に対して付与されるポイントを算出するポイント算出手段とを備え、カード会員によってクレジットカードが利用されるときに発生するオーソリ処理を実行し、その実行履歴を示す実行履歴情報を蓄積するデータベースを構築するように構成されているカードシステムにて、前記カード会員がカードの利用に関して使用可能なポイントを管理するポイント管理方法であって、前記実行履歴情報は、カードの利用時間と、カード会員を識別するカード会員識別子とが対応付けられてなる情報を含んでおり、前記記憶手段が、非ピーク時間帯にカードの利用が行われる場合に、当該カードの利用に対して付与されるポイントの算出ルールを記憶するステップと、前記検索手段が、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定するステップと、前記通知手段が、将来に前記非ピーク時間帯にカードの利用を行う場合には前記記憶手段に記憶されている算出ルールが適用される旨を示す情報を、前記特定されたカード会員に対して通知するステップと、前記検索手段が更に、前記算出ルールが適用される旨を示す情報の通知後に発生したオーソリ処理の実行履歴を示す実行履歴情報における複数のカードの利用時間の中から非ピーク時間帯に属するカードの利用時間を検索するステップと、前記ポイント算出手段が、前記検索されたカードの利用時間に係るカードの利用に対して付与されるポイントを、前記算出ルールに基づいて算出するステップとを有する。
【００１５】
前記発明に係るポイント管理方法において、前記データベースには、クレジットカードの加盟店を識別する加盟店識別子と当該加盟店の業種を識別する加盟店業種識別子とが対応付けられてなる加盟店情報が蓄積されており、前記算出ルールを記憶するステップでは、前記記憶手段が、クレジットカードの加盟店の業種別に定められた前記算出ルールを記憶し、前記実行履歴情報は、前記カードの利用時間と、前記カード会員識別子と、カードが利用された加盟店を識別する加盟店識別子とが対応付けられてなる情報を含み、前記カード会員を特定するステップでは、前記検索手段が、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定し、前記カード会員に対して通知するステップでは、前記通知手段が、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知するようにしてもよい。
【００１６】
また、前記発明に係るポイント管理方法において、前記算出ルールを記憶するステップでは、前記記憶手段が、クレジットカードの加盟店別に定められた前記算出ルールを記憶し、前記実行履歴情報は、前記カードの利用時間と、前記カード会員識別子と、カードが利用された加盟店を識別する加盟店識別子とが対応付けられてなる情報を含み、前記カード会員を特定するステップでは、前記検索手段が、前記検索されたカードの利用時間と対応付けられている加盟店識別子によって識別される加盟店を参照することによって、加盟店別にカード会員を特定し、前記カード会員に対して通知するステップでは、前記通知手段が、将来に前記非ピーク時間帯にカードの利用を行う場合には前記記憶手段に記憶されており、且つ、前記特定された加盟店に係る算出ルールが適用される旨を示す情報を、前記特定されたカード会員に係る端末に対して通知するようにしてもよい。
【００１７】
本名発明のカードシステムは、クレジットカードのカード会員によってクレジットカードが利用されるときに発生するオーソリ処理を実行するカード決済システムと、当該オーソリ処理の実行履歴を示す実行履歴情報を蓄積するデータベースを備え、前記カード会員がカードの利用に関して使用可能なポイントを管理するポイント管理装置とを備えるカードシステムであって、前記実行履歴情報は、カードの利用時間と、カード会員を識別するカード会員識別子とが対応付けられてなる情報を含んでおり、前記ポイント管理装置は、  非ピーク時間帯にカードの利用が行われる場合に、当該カードの利用に対して付与されるポイントの算出ルールを記憶する記憶手段と、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、将来に前記非ピーク時間帯にカードの利用を行う場合には前記記憶手段に記憶されている算出ルールが適用される旨を示す情報を、前記特定されたカード会員に対して通知する通知手段と、前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、前記検索手段によって検索されたカードの利用時間に係るカードの利用に対して付与されるポイントを、前記算出ルールに基づいて算出するポイント算出手段とを備える。
【００１８】
本発明に係るポイント管理装置は、クレジットカードのカード会員によってクレジットカードが利用されるときに発生するオーソリ処理を実行するカード決済システムと関連して設けられ、当該オーソリ処理の実行履歴を示す実行履歴情報を蓄積するデータベースを備え、前記カード会員がカードの利用に関して使用可能なポイントを管理するポイント管理装置であって、前記実行履歴情報は、カードの利用時間と、カード会員を識別するカード会員識別子とが対応付けられてなる情報を含んでおり、非ピーク時間帯にカードの利用が行われる場合に、当該カードの利用に対して付与されるポイントの算出ルールを記憶する記憶手段と、前記データベースに蓄積された実行履歴情報における複数のカードの利用時間の中からピーク時間帯に属するカードの利用時間を検索し、検索されたカードの利用時間と対応付けられているカード会員識別子を参照することによって、ピーク時間帯にカードを利用したことがあるカード会員を特定する特定手段と、将来に前記非ピーク時間帯にカードの利用を行う場合には前記記憶手段に記憶されている算出ルールが適用される旨を示す情報を、前記特定されたカード会員に対して通知する通知手段と、前記算出ルールが適用される旨を示す情報の通知後に発生したオーソリ処理の実行履歴を示す実行履歴情報における複数のカードの利用時間の中から非ピーク時間帯に属するカードの利用時間を検索する検索手段と、前記検索手段によって検索されたカードの利用時間に係るカードの利用に対して付与されるポイントを、前記算出ルールに基づいて算出するポイント算出手段とを備える。
【００１９】
前記発明に係るポイント管理装置において、前記データベースには、クレジットカードの加盟店を識別する加盟店識別子と当該加盟店の業種を識別する加盟店業種識別子とが対応付けられてなる加盟店情報が蓄積されており、前記記憶手段には、クレジットカードの加盟店の業種別に定められた前記算出ルールが記憶され、前記実行履歴情報は、前記カードの利用時間と、前記カード会員識別子と、カードが利用された加盟店を識別する加盟店識別子とが対応付けられてなる情報を含み、前記特定手段は、前記検索されたカードの利用時間と対応付けられている加盟店識別子を用いて前記データベースに蓄積された加盟店情報を検索し、当該加盟店識別子によって識別される加盟店の業種を参照することによって、加盟店の業種別にカード会員を特定するように構成され、前記通知手段は、将来に前記非ピーク時間帯にカードの利用を行う場合には前記記憶手段に記憶されており、且つ、前記特定された加盟店の業種に係る算出ルールが適用される旨を示す情報を、前記特定されたカード会員に対して通知するように構成されていてもよい。
【００２０】
また、前記発明に係るポイント管理装置において、前記記憶手段には、クレジットカードの加盟店別に定められた前記算出ルールが記憶され、前記実行履歴情報は、前記カードの利用時間と、前記カード会員識別子と、カードが利用された加盟店を識別する加盟店識別子とが対応付けられてなる情報を含み、前記特定手段は、前記検索されたカードの利用時間と対応付けられている加盟店識別子によって識別される加盟店を参照することによって、加盟店別にカード会員を特定するように構成され、前記通知手段は、将来に前記非ピーク時間帯にカードの利用を行う場合には前記記憶手段に記憶されており、且つ、前記特定された加盟店に係る算出ルールが適用される旨を示す情報を、前記特定されたカード会員に対して通知するように構成されていてもよい。
【発明の効果】
【００２１】
本発明のポイント管理方法、その方法を実施するためのカードシステム、及びそのカードシステムに用いられるポイント管理装置は、会員がサービスを享受するときに発生する処理の分散化を図ることができる。
【発明を実施するための最良の形態】
【００２２】
以下、本発明の実施の形態について図面を参照しながら詳述する。
【００２３】
図１は、本発明のカードシステムの構成を示すブロック図である。図１において、符号１０は、クレジットカードの利用に関する処理を行うためのカードシステムを示している。カードシステム１０は、クレジットカードの決済に関する処理を実行するためのカード決済システム３と、カード会員がクレジットカードの使用に関して利用可能なポイントの管理を行うポイント管理装置１とを備えている。
【００２４】
カード決済システム３は、クレジットカード会社の加盟店に設置され、クレジットカードの利用による売上の決済処理に必要となるデータを生成する加盟店側端末装置４，４…と通信可能に接続されている。加盟店側端末装置４，４…は、生成した当該データを適宜のタイミングでカード決済システム３へ送信するように構成されている。
【００２５】
また、ポイント管理装置１は、インターネット等の通信ネットワーク１００を介して、カード会員によって用いられる会員側端末装置２，２…と通信可能に接続されている。会員側端末装置２，２…は、通信ネットワーク１００を介してポイント管理装置１と通信可能な端末装置であればよい。したがって、例えばパーソナルコンピュータ、ＰＤＡ（Personal Digital Assistant）、および携帯型電話機などが会員側端末装置２，２…として用いられる。ここで、ポイント管理装置１と会員側端末装置２，２…との間の通信はＨＴＴＰ（HyperTextTransferProtocol）等の通信プロトコルを用いて行われる。
【００２６】
図２は、本発明のカードシステム１０が備えるポイント管理装置１の構成を示すブロック図である。図２に示すように、ポイント管理装置１はＣＰＵ１１を備えており、ＣＰＵ１１はバスを介して後述する各ハードウェアと接続されている。そして、ＣＰＵ１１は、それらのハードウェアの動作を制御するとともに、メモリ１２にロードされるコンピュータプログラムを実行する。これにより、ポイント管理装置１は、後述する処理を実行することが可能となる。
【００２７】
メモリ１２は、例えばＤＲＡＭ又はＳＲＡＭ等で構成され、コンピュータプログラムの実行時において発生する一時的なデータ等を記憶する。
【００２８】
表示部１３は、ＣＲＴ又は液晶ディスプレイ等で構成され、ＣＰＵ１１による処理結果等を表示する。また、入力部１４は、キーボード及びマウス等で構成され、オペレータがポイント管理装置１に対して指示をする場合等に用いられる。
【００２９】
通信インタフェース（Ｉ／Ｆ）１５は、カード決済システム３および会員側端末装置２，２…と通信するためのインタフェースである。
【００３０】
ハードディスク１６は、読み書き可能な磁気ディスクなどで構成され、ポイント管理装置１の動作に必要なコンピュータプログラムおよびＯＳ（オペレーティングシステム）、並びに各種のデータなどを記憶している。また、このハードディスク１６には、複数のデータベース（ＤＢ）が設けられている。以下、これらのデータベースについて詳細を説明する。
【００３１】
［オーソリ件別ＤＢ］
オーソリ件別ＤＢ１６０１は、クレジットカードが利用されるときに発生するオーソリ処理に係るオーソリ件別情報を記憶する。このオーソリ件別情報は、加盟店側端末装置４から送信されたデータに基づいて生成される。
【００３２】
図３は、オーソリ件別ＤＢ１６０１に記憶されるオーソリ件別情報のフォーマットの一例を示す概念図である。図３に示すように、オーソリ件別情報は、日付フィールド１０１，会員ＩＤフィールド１０２，利用金額フィールド１０３，利用時間フィールド１０４，及び利用加盟店コードフィールド１０５等の各フィールドを有している。以下、これらの各フィールドに格納される情報について説明する。
【００３３】
日付フィールド１０１にはクレジットカードの利用日が、会員ＩＤフィールド１０２にはカード会員を識別するための会員ＩＤが、利用金額フィールド１０３にはクレジットカードによる利用金額がそれぞれ格納されている。また、利用時間フィールド１０４にはクレジットカードが利用された利用時間が、利用加盟店コードフィールド１０５にはクレジットカードが利用された加盟店を識別するための加盟店コードがそれぞれ格納されている。
【００３４】
［加盟店情報ＤＢ］
加盟店情報ＤＢ１６０２は、クレジットカードの加盟店に関する加盟店情報を記憶する。
【００３５】
図４は、加盟店情報ＤＢ１６０２に記憶される加盟店情報のフォーマットの一例を示す概念図である。図４に示すように、加盟店情報は、加盟店コードフィールド１１１，加盟店名称フィールド１１２，業種コードフィールド１１３，及び地域コードフィールド１１４等の各フィールドを有している。以下、これらの各フィールドに格納される情報について説明する。
【００３６】
加盟店コードフィールド１１１には加盟店を識別するための加盟店コードが、加盟店名称フィールド１１２には当該加盟店の名称が、業種コードフィールド１１３には当該加盟店が属する業種を識別するための業種コードが、地域コードフィールド１１４には当該加盟店が位置する地域を識別するための地域コードがそれぞれ格納されている。
【００３７】
［天候情報ＤＢ］
天候情報ＤＢ１６０３は、天候に関する天候情報を記憶する。図５は、天候情報ＤＢ１６０３に格納されている天候情報のフォーマットの一例を示す概念図である。図５に示すように、天候情報は、日付フィールド１２１，地域コードフィールド１２２，及び天候コードフィールド１２３等の各フィールドを有している。ここで、日付フィールド１２１には日付が、地域コードフィールド１２２には地域を識別するための地域コードが、天候コードフィールド１２３には当該日付における当該地域の天候を識別するための天候コードがそれぞれ格納されている。
【００３８】
なお、未来の日付に係る天候情報の天候コードフィールド１２３には、天気予報で発表されている天候を識別するための天候コードが格納されている。
【００３９】
［第１利用件数情報ＤＢ］
第１利用件数情報ＤＢ１６０４は、日・天候別のクレジットカードの利用件数を示す第１利用件数情報を記憶する。
【００４０】
図６は、第１利用件数情報ＤＢ１６０４に記憶される第１利用件数情報のフォーマットの一例を示す概念図である。図６に示すように、第１利用件数情報は、日付フィールド２０１，当日天候コードフィールド２０２，前日天候コードフィールド２０３，件数フィールド２０４，及び割合フィールド２０５等の各フィールドを有している。ここで、日付フィールド２０１にはクレジットカードの利用日が，当日天候コードフィールド２０２にはクレジットカードの利用があった加盟店が位置する地域の利用当日の天候を識別するための当日天候コードが，前日天候コードフィールド２０３には同じく利用前日の天候を識別するための前日天候コードがそれぞれ格納されている。また、件数フィールド２０４にはクレジットカードが利用された件数が、割合フィールド２０５にはクレジットカードの利用件数全体に対して件数フィールド２０４に示された件数が占める割合がそれぞれ格納されている。
【００４１】
［第２利用件数情報ＤＢ］
第２利用件数情報ＤＢ１６０５は、日・時間帯別のクレジットカードの利用件数を示す第２利用件数情報を記憶する。
【００４２】
図７は、第２利用件数情報ＤＢ１６０５に記憶される第２利用件数情報のフォーマットの一例を示す概念図である。図７に示すように、第２利用件数情報は、日付フィールド２１１，時間帯（自）フィールド２１２，時間帯（至）フィールド２１３，件数フィールド２１４，及び割合フィールド２１５等の各フィールドを有している。ここで、日付フィールド２１１にはクレジットカードの利用日が，時間帯（自）フィールド２１２にはクレジットカードの利用時間が属する時間帯の始まりである時間が、時間帯（至）フィールド２１３には当該時間帯の終わりである時間がそれぞれ格納されている。また、件数フィールド２１４にはクレジットカードが利用された件数が、割合フィールド２１５にはクレジットカードの利用件数全体に対して件数フィールド２１４に示された件数が占める割合がそれぞれ格納されている。
【００４３】
［第３利用件数情報ＤＢ］
第３利用件数情報ＤＢ１６０６は、加盟店業種・時間帯別のクレジットカードの利用件数を示す第３利用件数情報を記憶する。
【００４４】
図８は、第３利用件数情報ＤＢ１６０６に記憶される第３利用件数情報のフォーマットの一例を示す概念図である。図８に示すように、第３利用件数情報は、業種コードフィールド２２１，業種フィールド２２２，時間帯（自）フィールド２２３，時間帯（至）フィールド２２４，件数フィールド２２５，及び割合フィールド２２６等の各フィールドを有している。ここで、業種コードフィールド２２１には加盟店が属する業種を識別するための業種コードが、業種フィールド２２２には当該業種がそれぞれ格納されている。また、時間帯（自）フィールド２２３にはクレジットカードの利用時間が属する時間帯の始まりである時間が、時間帯（至）フィールド２２４には当該時間帯の終わりである時間がそれぞれ格納されている。さらに、件数フィールド２２５にはクレジットカードが利用された件数が、割合フィールド２２６にはクレジットカードの利用件数全体に対して件数フィールド２２５に示された件数が占める割合がそれぞれ格納されている。
【００４５】
［第４利用件数情報ＤＢ］
第４利用件数情報ＤＢ１６０７は、加盟店・時間帯別のクレジットカードの利用件数を示す第４利用件数情報を記憶する。
【００４６】
図９は、第４利用件数情報ＤＢ１６０７に記憶される第４利用件数情報のフォーマットの一例を示す概念図である。図９に示すように、第４利用件数情報は、加盟店コードフィールド２３１，加盟店名称フィールド２３２，時間帯（自）フィールド２３３，時間帯（至）フィールド２３４，件数フィールド２３５，及び割合フィールド２３６等の各フィールドを有している。ここで、加盟店コードフィールド２３１には加盟店を識別するための加盟店コードが、加盟店名称フィールド２３２には当該加盟店の名称がそれぞれ格納されている。また、時間帯（自）フィールド２３３にはクレジットカードの利用時間が属する時間帯の始まりである時間が、時間帯（至）フィールド２３４には当該時間帯の終わりである時間がそれぞれ格納されている。さらに、件数フィールド２３５にはクレジットカードが利用された件数が、割合フィールド２３６にはクレジットカードの利用件数全体に対して件数フィールド２３５に示された件数が占める割合がそれぞれ格納されている。
【００４７】
なお、前述したクレジットカードの利用時間が属する時間帯は予めクレジットカード会社によって定められている。
【００４８】
［第１加算ポイントルールＤＢ］
第１加算ポイントルールＤＢ１６０８は、加盟店業種・時間帯別で適用されるポイントの算出ルールを示す第１加算ポイントルール情報を記憶する。
【００４９】
図１０は、第１加算ポイントルールＤＢ１６０８に記憶される第１加算ポイントルール情報のフォーマットの一例を示す概念図である。図１０に示すように、第１加算ポイントルール情報は、業種コードフィールド３０１，業種フィールド３０２，日付フィールド３０３，時間帯（自）フィールド３０４，時間帯（至）フィールド３０５，及び加算ポイントフィールド３０６等の各フィールドを有している。ここで、業種コードフィールド３０１には加盟店の業種を識別するための業種コードが、業種フィールド３０２には当該業種コードによって識別される業種が、日付フィールド３０３には第１加算ポイントルールが適用される日付がそれぞれ格納される。また時間帯（自）フィールド３０４には第１加算ポイントルールが適用される時間帯の始まりである時間が、時間帯（至）フィールド３０５には当該時間帯の終わりである時間が、加算ポイントフィールド３０６には通常の場合に付与されるポイントに対する加算ポイントの率がそれぞれ格納される。
【００５０】
［第２加算ポイントルールＤＢ］
第２加算ポイントルールＤＢ１６０９は、加盟店・時間帯別で適用されるポイントの算出ルールを示す第２加算ポイントルール情報を記憶する。
【００５１】
図１１は、第２加算ポイントルールＤＢ１６０９に記憶される第２加算ポイントルール情報のフォーマットの一例を示す概念図である。図１１に示すように、第２加算ポイントルール情報は、加盟店コードフィールド３１１，加盟店名称フィールド３１２，日付フィールド３１３，時間帯（自）フィールド３１４，時間帯（至）フィールド３１５，及び加算ポイントフィールド３１６等の各フィールドを有している。ここで、加盟店コードフィールド３１１には加盟店を識別するための加盟店コードが、加盟店名称フィールド３１２には当該加盟店コードによって識別される加盟店の名称が、日付フィールド３１３には第２加算ポイントルールが適用される日付がそれぞれ格納される。また時間帯（自）フィールド３１４には第２加算ポイントルールが適用される時間帯の始まりである時間が、時間帯（至）フィールド３１５には当該時間帯の終わりである時間が、加算ポイントフィールド３１６には通常の場合に付与されるポイントに対する加算ポイントの率がそれぞれ格納される。
【００５２】
［第３加算ポイントルールＤＢ］
第３加算ポイントルールＤＢ１６１０は、翌日の天候に基づいて適用されるポイントの算出ルールを示す第３加算ポイントルール情報を記憶する。
【００５３】
図１２は、第３加算ポイントルールＤＢ１６１０に記憶される第３加算ポイントルール情報のフォーマットの一例を示す概念図である。図１２に示すように、第３加算ポイントルール情報は、当日フィールド３２１，翌日天候フィールド３２２，及び加算ポイントフィールド３２３等の各フィールドを有している。ここで、当日フィールド３２１にはクレジットカードの利用日当日の曜日が、翌日天候フィールド３２２には当該利用日の翌日の天気予報に係る天候が、加算ポイントフィールド３１６には通常の場合に付与されるポイントに対する加算ポイントの率がそれぞれ格納される。
【００５４】
［第４加算ポイントルールＤＢ］
第４加算ポイントルールＤＢ１６１１は、前日の天候に基づいて適用されるポイントの算出ルールを示す第４加算ポイントルール情報を記憶する。
【００５５】
図１３は、第４加算ポイントルールＤＢ１６１１に記憶される第４加算ポイントルール情報のフォーマットの一例を示す概念図である。図１３に示すように、第４加算ポイントルール情報は、前日フィールド３３１，前日天候フィールド３３２，時間帯（自）フィールド３３３，時間帯（至）フィールド３３４，及び加算ポイントフィールド３３５等の各フィールドを有している。ここで、前日フィールド３３１にはクレジットカードの利用日の前日の曜日が、前日天候フィールド３３２には当該利用日の前日の天候がそれぞれ格納される。また時間帯（自）フィールド３３３には第４加算ポイントルールが適用される時間帯の始まりである時間が、時間帯（至）フィールド３３４には当該時間帯の終わりである時間が、加算ポイントフィールド３３５には通常の場合に付与されるポイントに対する加算ポイントの率がそれぞれ格納される。
【００５６】
［第５加算ポイントルールＤＢ］
第５加算ポイントルールＤＢ１６１２は、日・時間帯別で適用されるポイントの算出ルールを示す第５加算ポイントルール情報を記憶する。
【００５７】
図１４は、第５加算ポイントルールＤＢ１６１２に記憶される第５加算ポイントルール情報のフォーマットの一例を示す概念図である。図１４に示すように、第５加算ポイントルール情報は、日付フィールド３４１，時間帯（自）フィールド３４２，時間帯（至）フィールド３４３，及び加算ポイントフィールド３４４等の各フィールドを有している。ここで、日付フィールド３４１には第５加算ポイントルールが適用される日付が格納される。また時間帯（自）フィールド３４２には第５加算ポイントルールが適用される時間帯の始まりである時間が、時間帯（至）フィールド３４３には当該時間帯の終わりである時間が、加算ポイントフィールド３４４には通常の場合に付与されるポイントに対する加算ポイントの率がそれぞれ格納される。
【００５８】
［加算ポイントルール適用結果ＤＢ］
加算ポイントルール適用結果ＤＢ１６１３は、加算ポイントルールを適用するか否かに関する適用結果情報を記憶する。
【００５９】
図１５は、加算ポイントルール適用結果ＤＢ１６１３に記憶される適用結果情報のフォーマットの一例を示す概念図である。図１５に示すように、適用結果情報は、会員ＩＤフィールド４０１，対象月日フィールド４０２，加算ポイントルールフィールド４０３，及び適用フィールド４０４等の各フィールドを有している。ここで、会員ＩＤフィールド４０１にはカード会員を識別するための会員ＩＤが、対象月日フィールド４０２には加算ポイントルールを適用する対象となるクレジットカードの利用日が、加算ポイントルールフィールド４０３には適用される加算ポイントルールが、適用フィールド４０４には当該加算ポイントルールを適用するか否かがそれぞれ格納される。
【００６０】
［会員・月別ポイント集計ＤＢ］
会員・月別ポイント集計ＤＢ１６１４は、加算ポイントルールを適用した結果得られたポイントに関するポイント集計情報を記憶する。
【００６１】
図１６は、会員・月別ポイント集計ＤＢ１６１４に記憶されるポイント集計情報のフォーマットの一例を示す概念図である。図１６に示すように、ポイント集計情報は、会員ＩＤフィールド４１１，対象月日フィールド４１２，通常ポイントフィールド４１３，及び加算ポイントフィールド４１４等の各フィールドを有している。ここで、会員ＩＤフィールド４１１にはカード会員を識別するための会員ＩＤが、対象月日フィールド４１２には加算ポイントルールの適用対象であるクレジットカードの利用日が、通常ポイントフィールド４１３には加算ポイントルールが適用されない通常の場合にカード会員に付与される通常ポイントが、加算ポイントフィールド４１４には加算ポイントルールが適用された結果得られた加算ポイントがそれぞれ格納される。
【００６２】
［利用実績ＤＢ］
利用実績ＤＢ１６１５は、カード会員がクレジットカードを利用した実績に関する利用実績情報を記憶する。
【００６３】
図１７は、利用実績ＤＢ１６１５に記憶される利用実績情報のフォーマットの一例を示す概念図である。図１７に示すように、利用実績情報は、会員ＩＤフィールド４２１，利用日フィールド４２２，加盟店コードフィールド４２３，利用金額フィールド４２４，及び利用時間フィールド４２５等の各フィールドを有している。ここで、会員ＩＤフィールド４２１にはカード会員を識別するための会員ＩＤが、利用日フィールド４２２にはカード会員によるクレジットカードの利用日が、加盟店コードフィールド４２３にはクレジットカードが利用された加盟店を識別するための加盟店コードがそれぞれ格納される。また、利用金額フィールド４２４にはクレジットカードによる利用金額が、利用時間フィールド４２５にはクレジットカードが利用された時間がそれぞれ格納される。
【００６４】
［対象会員ＤＢ］
対象会員ＤＢ１６１６は、加算ポイントルールが適用される対象となるカード会員に関する対象会員情報を記憶する。ここで、対象会員情報には、カード会員を識別するための会員ＩＤ、及びそのカード会員に適用される加算ポイントルールを識別するための情報が少なくとも含まれている。
【００６５】
次に、以上のように構成された本実施の形態のカードシステム１０の動作について、フローチャートを参照しながら説明する。なお、カードシステム１０が有する機能は主に以下の４つに分けられる。
【００６６】
（１）利用実績の集計
（２）利用実績の分析及び加算ポイントルールの設定
（３）加算ポイントルールの適用及び通知
（４）ポイント集計
以下では、これらの４つの機能についてそれぞれ説明する。
【００６７】
［（１）利用実績の集計］
ポイント管理装置１は、以下のようにして、第１利用件数情報、第２利用件数情報、第３利用件数情報、及び第４利用件数情報を生成する。
【００６８】
［第１利用件数情報の生成］
図１８は、第１利用件数情報を生成する場合における本発明のポイント管理装置１の動作の流れを示すフローチャートである。
【００６９】
まず、ポイント管理装置１は、入力部１４を用いてオペレータにより入力された年月（例えば、２００３年１２月等）に係るオーソリ件別情報をオーソリ件別ＤＢ１６０１から抽出する（Ｓ１０１）。具体的には、日付フィールド１０１に格納されている日付を参照し、オペレータにより入力された年月に該当するオーソリ件別情報をオーソリ件別ＤＢ１６０１から抽出する。
【００７０】
次に、ポイント管理装置１は、抽出されたオーソリ件別情報の加盟店コードをキーとして加盟店情報ＤＢ１６０２を検索することにより、当該オーソリ件別情報に係るカード利用が行われた加盟店の地域コードを取得する（Ｓ１０２）。そして、ポイント管理装置１は、取得された地域コード及び日付をキーとして天候情報ＤＢ１６０３を検索することにより、当該オーソリ件別情報に係るカード利用が行われた加盟店が位置する地域の当日及び前日の天候コードを取得する（Ｓ１０３）。
【００７１】
次に、ポイント管理装置１は、日付、当日の天候コード、及び前日の天候コードをキーとしてステップＳ１０１にて抽出されたオーソリ件別情報を検索し、その検索された数を集計することにより、日・天候（当日及び前日の天候）別のオーソリ件別情報の件数を取得する（Ｓ１０４）。そして、ステップＳ１０４にて取得された件数に基づいて、ポイント管理装置１は、日・天候（当日及び前日の天候）別のクレジットカードの利用件数を示す第１利用件数情報を生成する（Ｓ１０５）。
【００７２】
なお、このようにして生成された第１利用件数情報は、ポイント管理装置１によって第１利用件数情報ＤＢ１６０４に記憶される。
【００７３】
［第２利用件数情報の生成］
図１９は、第２利用件数情報を生成する場合における本発明のポイント管理装置１の動作の流れを示すフローチャートである。
【００７４】
まず、ポイント管理装置１は、第１利用件数情報の生成の場合と同様にして、特定の年月に係るオーソリ件別情報をオーソリ件別ＤＢ１６０１から抽出する（Ｓ１１１）。
【００７５】
次に、ポイント管理装置１は、予め定められた時間帯をキーとしてステップＳ１１１にて抽出されたオーソリ件別情報を検索し、その検索された数を集計することにより、日・時間帯別のオーソリ件別情報の件数を取得する（Ｓ１１２）。そして、ステップＳ１１２にて取得された件数に基づいて、ポイント管理装置１は、日・時間帯別のクレジットカードの利用件数を示す第２利用件数情報を生成する（Ｓ１１３）。
【００７６】
なお、このようにして生成された第２利用件数情報は、ポイント管理装置１によって第２利用件数情報ＤＢ１６０５に記憶される。
【００７７】
［第３利用件数情報の生成］
図２０は、第３利用件数情報を生成する場合における本発明のポイント管理装置１の動作の流れを示すフローチャートである。
【００７８】
まず、ポイント管理装置１は、第１利用件数情報の生成の場合と同様にして、特定の年月に係るオーソリ件別情報をオーソリ件別ＤＢ１６０１から抽出する（Ｓ１２１）。
【００７９】
次に、ポイント管理装置１は、抽出されたオーソリ件別情報の加盟店コードをキーとして加盟店情報ＤＢ１６０２を検索することにより、当該オーソリ件別情報に係るカード利用が行われた加盟店の業種コードを取得する（Ｓ１２２）。そして、ポイント管理装置１は、取得された業種コード及び予め定められた時間帯をキーとしてステップＳ１２１にて抽出されたオーソリ件別情報を検索し、その検索された数を集計することにより、業種・時間帯別のオーソリ件別情報の件数を取得する（Ｓ１２３）。  次に、ステップＳ１２３にて取得された件数に基づいて、ポイント管理装置１は、業種・時間帯別のクレジットカードの利用件数を示す第３利用件数情報を生成する（Ｓ１２４）。
【００８０】
なお、このようにして生成された第３利用件数情報は、ポイント管理装置１によって第３利用件数情報ＤＢ１６０６に記憶される。
【００８１】
［第４利用件数情報の生成］
図２１は、第４利用件数情報を生成する場合における本発明のポイント管理装置１の動作の流れを示すフローチャートである。
【００８２】
まず、ポイント管理装置１は、第１利用件数情報の生成の場合と同様にして、特定の年月に係るオーソリ件別情報をオーソリ件別ＤＢ１６０１から抽出する（Ｓ１３１）。
【００８３】
次に、ポイント管理装置１は、抽出されたオーソリ件別情報の加盟店コードをキーとして加盟店情報ＤＢ１６０２を検索することにより、当該オーソリ件別情報に係るカード利用が行われた加盟店の加盟店コードを取得する（Ｓ１３２）。
【００８４】
次に、ポイント管理装置１は、取得された加盟店コード及び予め定められた時間帯をキーとしてステップＳ１３１にて抽出されたオーソリ件別情報を検索し、その検索された数を集計することにより、加盟店・時間帯別のオーソリ件別情報の件数を取得する（Ｓ１３３）。そして、ステップＳ１３３にて取得された件数に基づいて、ポイント管理装置１は、加盟店・時間帯別のクレジットカードの利用件数を示す第４利用件数情報を生成する（Ｓ１３４）。
【００８５】
なお、このようにして生成された第４利用件数情報は、ポイント管理装置１によって第４利用件数情報ＤＢ１６０７に記憶される。
【００８６】
以上のようにして、第１利用件数情報、第２利用件数情報、第３利用件数情報、及び第４利用件数情報を生成することにより、利用実績の集計が完了する。この利用実績の集計結果に基づき、以下のような利用実績の分析及び加算ポイントルールの設定が行われる。
【００８７】
［（２）利用実績の分析及び加算ポイントルールの設定］
クレジットカード会社の担当者（以下、単に担当者という）は、以下のようにして第１加算ポイントルール情報、第２加算ポイントルール情報、第３加算ポイントルール情報、第４加算ポイントルール情報、及び第５加算ポイントルール情報を作成する。そして、そのようにして設定された各加算ポイントルール情報が入力部１４を介してポイント管理装置１に対して入力される。
【００８８】
［第１加算ポイントルール情報の作成］
第１加算ポイントルール情報は、前述したように、加盟店業種・時間帯別で適用されるポイントの算出ルールを示すものである。
【００８９】
担当者は、ポイント管理装置１に対して、第３利用件数情報ＤＢ１６０６に記憶されている第３利用件数情報の内容を表示部１３に表示するように指示する。そして、担当者は、表示部１３に表示された第３利用件数情報の内容を参照し、加盟店業種・時間帯別の利用状況の傾向を把握する。その結果、例えば「土曜日の百貨店においては、夕方の時間帯の利用件数が多く、一方午前中の時間帯の利用件数が少ないため、午前中の時間帯の利用に対するポイント付与率を高く設定する」、「レストランにおいては、食事時の時間帯に利用件数が集中しているため、それ以外の時間帯の利用に対するポイント付与率を高く設定する」、「平日のガソリンスタンドにおいては、出勤後の時間帯の利用件数が多いため、出勤前の時間帯の利用に対するポイント付与率を高く設定する」等の方針を担当者が定める。
【００９０】
次に、担当者は、以上のようにして定められた方針に基づいて、図１０を参照して説明したフォーマットの第１加算ポイントルール情報を作成し、その作成した第１加算ポイントルール情報を、入力部１４を用いてポイント管理装置１へ入力する。
【００９１】
ポイント管理装置１は、入力された第１加算ポイントルール情報を第１加算ポイントルールＤＢ１６０８に登録する。
【００９２】
［第２加算ポイントルール情報の作成］
第２加算ポイントルール情報は、前述したように、加盟店・時間帯別で適用されるポイントの算出ルールを示すものである。
【００９３】
担当者は、ポイント管理装置１に対して、第４利用件数情報ＤＢ１６０７に記憶されている第４利用件数情報の内容を表示部１３に表示するように指示する。そして、担当者は、表示部１３に表示された第４利用件数情報の内容を参照し、加盟店・時間帯別の利用状況の傾向を把握する。その結果、例えば「土曜日の○○デパートにおいては、夕方の時間帯の利用件数が多く、一方午前中の時間帯の利用件数が少ないため、午前中の時間帯の利用に対するポイント付与率を高く設定する」、「○○ストアにおいては、食事前の時間帯の利用件数が多く、一方食事後の時間帯の利用件数が少ないため、食事後の時間帯の利用に対するポイント付与率を高く設定する」等の方針を担当者が定める。
【００９４】
次に、担当者は、以上のようにして定められた方針に基づいて、図１１を参照して説明したフォーマットの第２加算ポイントルール情報を作成し、その作成した第２加算ポイントルール情報を、入力部１４を用いてポイント管理装置１へ入力する。
【００９５】
ポイント管理装置１は、入力された第２加算ポイントルール情報を第２加算ポイントルールＤＢ１６０９に登録する。
【００９６】
［第３加算ポイントルール情報の作成］
第３加算ポイントルールは、前述したように、翌日の天候に基づいて適用されるポイントの算出ルールを示すものである。
【００９７】
担当者は、例えば「翌日となる日曜日の天気予報が晴である場合は、その日曜日の利用件数が多くなるため、当日である土曜日の利用に対するポイント付与率を高く設定する」等の方針を経験則により定める。
【００９８】
次に、担当者は、以上のようにして定められた方針に基づいて、図１２を参照して説明したフォーマットの第３加算ポイントルール情報を作成し、その作成した第３加算ポイントルール情報を、入力部１４を用いてポイント管理装置１へ入力する。
【００９９】
ポイント管理装置１は、入力された第３加算ポイントルール情報を第３加算ポイントルールＤＢ１６１０に登録する。
【０１００】
なお、本実施の形態では、担当者が経験則により第３加算ポイントルール情報を生成しているが、それ以外にも、例えばポイント管理装置１が当日の天候及び翌日の天候別の利用件数を示す情報を生成し、その情報に基づいて担当者が第３加算ポイントルール情報を作成するようにしてもよい。
【０１０１】
［第４加算ポイントルール情報の作成］
第４加算ポイントルール情報は、前述したように、前日の天候に基づいて適用されるポイントの算出ルールを示すものである。
【０１０２】
担当者は、ポイント管理装置１に対して、第１利用件数情報ＤＢ１６０４に記憶されている第１利用件数情報の内容を表示部１３に表示するように指示する。そして、担当者は、表示部１３に表示された第１利用件数情報の内容を参照し、前日の天候別の利用状況の傾向を把握する。その結果、例えば「前日が土曜日の場合であって、その土曜日が雨である場合、翌日の日曜日の午後の利用件数が多くなるため、その日曜日の午前中の時間帯の利用に対するポイント付与率を高く設定する」等の方針を担当者が定める。
【０１０３】
次に、担当者は、以上のようにして定められた方針に基づいて、図１３を参照して説明したフォーマットの第４加算ポイントルール情報を作成し、その作成した第４加算ポイントルール情報を、入力部１４を用いてポイント管理装置１へ入力する。
【０１０４】
ポイント管理装置１は、入力された第４加算ポイントルール情報を第４加算ポイントルールＤＢ１６１１に登録する。
【０１０５】
［第５加算ポイントルール情報の作成］
第５加算ポイントルール情報は、前述したように、日・時間帯別で適用されるポイントの算出ルールを示すものである。
【０１０６】
担当者は、ポイント管理装置１に対して、第２利用件数情報ＤＢ１６０５に記憶されている第２利用件数情報の内容を表示部１３に表示するように指示する。そして、担当者は、表示部１３に表示された第２利用件数情報の内容を参照し、時間帯別の利用状況の傾向を把握する。その結果、例えば「夕方の時間帯の利用件数が多く、一方午前中の時間帯の利用件数が少ないため、午前中の時間帯の利用に対するポイント付与率を高く設定する」等の方針を担当者が定める。
【０１０７】
次に、担当者は、以上のようにして定められた方針に基づいて、図１４を参照して説明したフォーマットの第５加算ポイントルール情報を作成し、その作成した第５加算ポイントルール情報を、入力部１４を用いてポイント管理装置１へ入力する。
【０１０８】
ポイント管理装置１は、入力された第５加算ポイントルール情報を第５加算ポイントルールＤＢ１６１２に登録する。
【０１０９】
［（３）加算ポイントルールの適用及び通知］
ポイント管理装置１は、以下のようにして、加算ポイントルールを適用する対象となるカード会員の特定及び加算ポイントルールが適用される旨の通知を実行する。
【０１１０】
なお、以下の処理はポイント管理装置１にて毎朝実行されるように設定される。
【０１１１】
［加算ポイントルールを適用する対象となるカード会員の特定］
図２２は、加算ポイントルールを適用する対象となるカード会員を特定する場合における本発明のポイント管理装置１の動作の流れを示すフローチャートである。
【０１１２】
まず、ポイント管理装置１は、入力部１４を用いてオペレータにより入力されたピーク時間帯（利用件数が多い時間帯）に係るオーソリ件別情報をオーソリ件別ＤＢ１６０１から抽出する（Ｓ２０１）。そして、ポイント管理装置１は、抽出されたオーソリ件別情報のうち特定のものを処理対象として選択する（Ｓ２０２）。
【０１１３】
次に、ポイント管理装置１は、ステップＳ２０２にて選択したオーソリ件別情報の加盟店コードをキーとして加盟店情報ＤＢ１６０２を検索することにより、当該オーソリ件別情報に係るカード利用が行われた加盟店の業種コードを取得する（Ｓ２０３）。そして、ポイント管理装置１は、取得された業種コードをキーとして第１加算ポイントルールＤＢ１６０８を検索し（Ｓ２０４）、検索に成功したか否かを判定する（Ｓ２０５）。ここで、当該業種コードを含む第１加算ポイントルール情報が存在するために検索に成功したと判定された場合（Ｓ２０５でＹＥＳ）、ポイント管理装置１は、当該オーソリ件別情報に係るカード利用を行ったカード会員の対象会員情報を生成し、その対象会員情報を対象会員ＤＢ１６１６に登録する（Ｓ２０６）。なお、前述したように、対象会員情報には、カード会員を識別するための会員ＩＤ、及びそのカード会員に適用される加算ポイントルールを識別するための情報が含まれている。ポイント管理装置１は、ステップＳ２０２にて選択したオーソリ件別情報の会員ＩＤ、及び第１加算ポイントルールを示す情報を用いて対象会員情報を生成する。
【０１１４】
一方、ステップＳ２０５において、前記業種コードを含む第１加算ポイントルール情報が存在しないために検索に失敗したと判定された場合（Ｓ２０５でＮＯ）、ポイント管理装置１は、ステップＳ２０６を実行することなく、次のステップＳ２０７に進む。
【０１１５】
次に、ポイント管理装置１は、ステップＳ２０２にて選択したオーソリ件別情報の加盟店コードをキーとして第２加算ポイントルールＤＢ１６０９を検索し（Ｓ２０７）、検索に成功したか否かを判定する（Ｓ２０８）。ここで、当該加盟店コードを含む第２加算ポイントルール情報が存在するために検索に成功したと判定された場合（Ｓ２０８でＹＥＳ）、ポイント管理装置１は、当該オーソリ件別情報に係るカード利用を行ったカード会員の対象会員情報を生成し、その対象会員情報を対象会員ＤＢ１６１６に登録する（Ｓ２０９）。なお、この場合、ポイント管理装置１は、ステップＳ２０２にて選択したオーソリ件別情報の会員ＩＤ、及び第２加算ポイントルールを示す情報を用いて対象会員情報を生成する。
【０１１６】
一方、ステップＳ２０８において、前記加盟店コードを含む第２加算ポイントルール情報が存在しないために検索に失敗したと判定された場合（Ｓ２０８でＮＯ）、ポイント管理装置１は、ステップＳ２０９を実行することなく、次のステップＳ２１０に進む。
【０１１７】
次に、ポイント管理装置１は、ステップＳ２０１にて抽出したオーソリ件別情報のすべてを処理対象として選択したか否かを判定する（Ｓ２１０）。ここで、処理対象として選択されていないオーソリ件別情報があると判定された場合（Ｓ２１０でＮＯ）、ポイント管理装置１は、ステップＳ２０２に戻り、新たなオーソリ件別情報を処理対象として選択する。一方、すべてのオーソリ件別情報を選択したと判定された場合（Ｓ２１０でＹＥＳ）、ポイント管理装置１は処理を終了する。
【０１１８】
［加算ポイントルールが適用される旨の通知］
図２３は、加算ポイントルールを適用される旨の通知を行う場合における本発明のポイント管理装置１の動作の流れを示すフローチャートである。
【０１１９】
ポイント管理装置１は、前述したようにして対象会員情報が蓄積された対象会員ＤＢ１６１６から、すべての対象会員情報を抽出する（Ｓ３０１）。そして、ポイント管理装置１は、抽出された対象会員情報に基づいて、カード会員・対象月日（加算ポイントルールを適用する対象となるクレジットカードの利用日）別に第１加算ポイントルール及び第２加算ポイントルールが適用されるか否かを判断する（Ｓ３０２）。この判断結果に基づいて、ポイント管理装置１は、図１５を参照して説明したフォーマットの適用結果情報を生成し、その生成した適用結果情報を加算ポイントルール適用結果ＤＢ１６１３に登録する（Ｓ３０３）。
【０１２０】
次に、ポイント管理装置１は、入力部１４を用いてオペレータにより入力されたピーク時間帯（利用件数が多い時間帯）に係るオーソリ件別情報をオーソリ件別ＤＢ１６０１から抽出する（Ｓ３０４）。そして、ポイント管理装置１は、抽出されたオーソリ件別情報の会員ＩＤで識別される会員に対して第５加算ポイントルールが適用されるように適用結果情報を生成し、その生成した適用結果情報を加算ポイントルール適用結果ＤＢ１６１３に登録する（Ｓ３０５）。
【０１２１】
次に、ポイント管理装置１は、天候情報ＤＢ１６０３から前日及び当日の天候、並びに翌日の天候（天気予報）を取得する（Ｓ３０６）。そして、その結果、第３加算ポイントルール及び第４加算ポイントルールが適用されるか否かを判断する（Ｓ３０７）。ここで適用可能だと判断した場合はステップＳ３０４にて抽出されたオーソリ件別情報の会員ＩＤで識別される会員に対して第３加算ポイントルール及び／又は第４加算ポイントルールが適用されるように適用結果情報を生成し、一方適用不可能であると判断した場合は同じく会員に対して第３加算ポイントルール及び第４加算ポイントルールが適用されないように適用結果情報を生成し、その生成した適用結果情報を加算ポイントルール適用結果ＤＢ１６１３に登録する（Ｓ３０８）。
【０１２２】
そして、ポイント管理装置１は、加算ポイントルール適用結果ＤＢ１６１３に記憶されている適用結果情報に示されている会員ＩＤによって識別されるカード会員に対して、どの加算ポイントルールの適用を受けることができるのか（又はできないのか）を示す内容の電子メールを送信する（Ｓ３０９）。なお、ステップＳ３０９においては、クレジットカードの会員登録の際にカード会員から申告された電子メールアドレス宛に電子メールを送信する。
【０１２３】
図１５に示されている適用結果情報を参照すると、会員ＩＤ・対象月日別に、各加算ポイントルールが適用されるか否かが示されていることが分かる。図１５に示す例では、例えば会員ＩＤが「４９８０−００００−００１」のカード会員に対しては、２００４年１２月４日（土）におけるカード利用に対しては第１、第２、第３及び第５加算ポイントルールが適用され、及び２００４年１２月５日（日）におけるカード利用に対しては第１、第２、第４及び第５加算ポイントルールが適用されることになる。また、会員ＩＤが「４９８０−００００−００２」のカード会員に対しては、当該カード会員が第２加算ポイントルール情報に係る加盟店でのカード利用の実績がなかったために、２００４年１２月４日（土）及び２００４年１２月５日（日）におけるカード利用に対して第２加算ポイントルールは適用されないことになる。また、会員ＩＤが「４９８０−００００−００３」のカード会員に対しては、当該カード会員が第１加算ポイントルール情報に係る加盟店業種の加盟店でのカード利用の実績がなかったために、２００４年１２月４日（土）及び２００４年１２月５日（日）におけるカード利用に対して第１加算ポイントルールが適用されないことになる。さらに、会員ＩＤが「４９８０−００００−００４」のカード会員に対しては、１２月１１日（土）の翌日の天気予報が「晴」ではなかったために当日のカード利用に対して第３加算ポイントルールが適用されず、１２月１２日（日）の前日の天候が「雨」ではなかったために当日のカード利用に対して第４加算ポイントルールが適用されないことになる。
【０１２４】
各カード会員に対しては、各加算ポイントルールが適用されるか否かを示す以上のような内容が電子メールにて送信される。各カード会員は、そのような内容が示された電子メールを会員側端末装置２で受信し、その内容を確認する。これにより、各カード会員は、自分に対してはどのような加算ポイントルールが適用されるのかを確認することができる。
【０１２５】
［（４）ポイント集計］
ポイント管理装置１は、以下のようにして、ポイントの集計を実行する。なお、以下の処理は、ポイント管理装置１にて夜間のバッチ処理として毎晩実行される。また、ポイント管理装置１は、カード会員がクレジットカードを利用した実績に関するデータをカード決済システム３から予め取得しておく。そして、そのデータに基づいて、図１７を参照して説明したフォーマットの利用実績情報を生成し、その生成した利用実績情報を利用実績ＤＢ１６１５に蓄積しておく。
【０１２６】
図２４は、ポイント集計における本発明のポイント管理装置１の動作の流れを示すフローチャートである。
【０１２７】
まず、ポイント管理装置１は、利用実績ＤＢ１６１５から利用実績情報を抽出する（Ｓ４０１）。そして、ポイント管理装置１は、抽出された利用実績情報のうち特定のものを処理対象として選択する（Ｓ４０２）。
【０１２８】
次に、ポイント管理装置１は、ステップＳ４０２にて選択された利用実績情報に係るカード利用に対して通常時に付与されるポイントの計算を実行する（Ｓ４０３）。そして、その計算の結果及び当該利用実績情報に基づいて、図１６を参照して説明したフォーマットのポイント集計情報を生成し、その生成したポイント集計情報を会員・月別ポイント集計ＤＢ１６１４に登録する（Ｓ４０４）。なお、この時点では、ポイント集計情報の加算ポイントフィールド４１４は「０」となっている。
【０１２９】
次に、ポイント管理装置１は、ステップＳ４０２にて選択された利用実績情報の会員ＩＤをキーとして加算ポイントルール適用結果ＤＢ１６１３を検索し（Ｓ４０５）、その検索に成功したか否かを判定する（Ｓ４０６）。ここで、当該会員ＩＤを含む適用結果情報が存在するために検索に成功したと判定された場合（Ｓ４０６でＹＥＳ）、ポイント管理装置１は、後述するステップＳ４０７の加算ポイント計算処理に進む。一方、当該会員ＩＤを含む適用結果情報が存在しないために検索に失敗したと判定された場合（Ｓ４０６でＮＯ）、ポイント管理装置１は、ステップＳ４０１で抽出された利用実績情報のすべてを処理したか否かを判定する（Ｓ４０９）。ここで、すべての利用実績情報が処理されたと判定した場合（Ｓ４０９でＹＥＳ）、ポイント管理装置１は処理を終了する。一方、まだ処理されていない利用実績情報があると判定した場合（Ｓ４０９でＮＯ）、ポイント管理装置１はステップＳ４０２に戻り、新たな利用実績情報を処理対象として選択する。
【０１３０】
前述したように、ステップＳ４０６において検索が成功したと判定された場合（Ｓ４０６でＹＥＳ）、ポイント管理装置１は以下の加算ポイント計算処理（Ｓ４０７）を実行する。
【０１３１】
図２５は、加算ポイント計算処理における本発明のポイント管理装置１の動作の流れを示すフローチャートである。
【０１３２】
まず、ポイント管理装置１は、ステップＳ４０２にて選択された利用実績情報に係るカード利用に対して各加算ポイントルールのうち何れのものが適用されるのかについて、ステップＳ４０５で検索された適用結果情報に基づいて判断する（Ｓ５０１）。以下、このステップＳ５０１にて適用されると判断された加算ポイントルールを用いて加算ポイントを計算する。なお、説明の便宜上、以下では、ステップＳ５０１にてすべての加算ポイントルールが適用されると判断されたものとする。
【０１３３】
ポイント管理装置１は、ステップＳ４０２にて選択された利用実績情報から業種コード及び加盟店コードを取得する（Ｓ５０２）。なお、業種コードは、当該加盟店コードをキーとして加盟店情報ＤＢ１６０２を検索することにより得られる。
【０１３４】
次に、ポイント管理装置１は、当該利用実績情報の利用時間及びステップＳ５０１にて取得した業種コードをキーとして第１加算ポイントルールＤＢ１６０８を検索することにより、当該利用実績情報に係るカード利用に対して適用される第１加算ポイントルールを取得する（Ｓ５０３）。そして、ポイント管理装置１は、取得した第１加算ポイントルールを用いて、当該利用実績情報に係るカード利用に対して付与される加算ポイントを算出する（Ｓ５０４）。
【０１３５】
次に、ポイント管理装置１は、当該利用実績情報の利用時間及び加盟店コードをキーとして第２加算ポイントルールＤＢ１６０９を検索することにより、当該利用実績情報に係るカード利用に対して適用される第２加算ポイントルールを取得する（Ｓ５０５）。そして、ポイント管理装置１は、取得した第２加算ポイントルールを用いて、当該利用実績情報に係るカード利用に対して付与される加算ポイントを算出する（Ｓ５０６）。
【０１３６】
その後、ポイント管理装置１は、第３加算ポイントルールＤＢ１６１０から第３加算ポイントルールを取得し（Ｓ５０７）、その取得した第３加算ポイントルールを用いて、当該利用実績情報に係るカード利用に対して付与される加算ポイントを算出する（Ｓ５０８）。また、ポイント管理装置１は、当該利用実績情報の利用日に基づいて当日及び前日の天候コードを天候情報ＤＢ１６０３から取得し、その取得した天候コードに基づいて第４加算ポイントルールＤＢ１６１１を検索することにより、当該利用実績情報に係るカード利用に対して適用される第４加算ポイントルールを取得する（Ｓ５０９）。そして、ポイント管理装置１は、取得した第４加算ポイントルールを用いて、当該利用実績情報に係るカード利用に対して付与される加算ポイントを算出する（Ｓ５１０）。さらに、ポイント管理装置１は、当該利用実績情報の利用時間に基づいて第５加算ポイントルールＤＢ１６１２を検索することにより、当該利用実績情報に係るカード利用に対して適用される第５加算ポイントルールを取得する（Ｓ５１１）。そして、ポイント管理装置１は、取得した第５加算ポイントルールを用いて、当該利用実績情報に係るカード利用に対して付与される加算ポイントを算出する（Ｓ５１２）。
【０１３７】
次に、ポイント管理装置１は、以上のようにして算出された各加算ポイントを加算することにより加算ポイントの集計を実行し（Ｓ５１３）、図２４に示すフローチャートのステップＳ４０８を実行する。
【０１３８】
ステップＳ４０８において、ポイント管理装置１は、ステップＳ５１３にて集計された加算ポイントをポイント集計情報の加算ポイントフィールド４１４に格納することにより、会員・月別ポイント集計ＤＢ１６１４を更新する。
【０１３９】
次に、ポイント管理装置１は、ステップＳ４０１で抽出された利用実績情報のすべてを処理したか否かを判定する（Ｓ４０９）。ここで、すべての利用実績情報が処理されたと判定した場合（Ｓ４０９でＹＥＳ）、ポイント管理装置１は処理を終了する。一方、まだ処理されていない利用実績情報があると判定した場合（Ｓ４０９でＮＯ）、ポイント管理装置１はステップＳ４０２に戻り、新たな利用実績情報を処理対象として選択し、それ以降の処理を継続する。
【０１４０】
なお、ポイント管理装置１は、会員・月別ポイント集計ＤＢ１６１４に記憶されているポイント集計情報を、適宜のタイミングでカード決済システム３へ送信する。その結果、カード決済システム３では、このポイント集計情報を蓄積し、必要に応じて各カード会員に対して当該カード会員に付与されるポイントを通知する。これにより、各カード会員は、自己に付与されたポイントを確認することができる。
【０１４１】
以上の「（３）加算ポイントルールの適用及び通知」に説明したように、電子メールを受け取ったカード会員は、自分に対してどのような加算ポイントルールが適用されるのかを確認することができる。このようにして加算ポイントルールが適用されるかどうかを確認した各カード会員に対しては、加算ポイントを得るために、加算ポイントルールが適用されるようにカードの利用を行おうとするインセンティブが働くことになる。これにより、一部のカード会員がそのようにカードの利用を行った場合、カードの利用が一定期間に集中してなされる現象を回避することができる。その結果、カードの利用に伴って発生するオーソリ処理が一定期間に集中することを回避することができる。すなわち、オーソリ処理の分散化を図ることができる。したがって、クレジットカード会社は、中元歳暮の時期の週末又は祝祭日、若しくはいわゆるゴールデンウィークの夕刻等の期間であっても、機器の増設等の対策を施すことなく、オーソリ処理のレスポンス時間の短縮化を図ることができる。
【０１４２】
また、以上のようなインセンティブが働くことにより、カード会員の購買意欲が刺激されることにもなり得る。したがって、本発明は、販売促進としての効果も認められ得る。そのため、オーソリ処理の分散化を図ることができるクレジットカード会社、及び加算ポイントを取得することができるカード会員のみならず、クレジットカード会社の加盟店にとっても、本発明は望まれるものである。
【産業上の利用可能性】
【０１４３】
本発明に係るポイント管理方法、カードシステム及びポイント管理装置は、カードの利用に伴って発生する所定の処理が一定期間に集中することを回避することができるため、クレジットカードの利用に伴ってオーソリ処理が発生するクレジットカードのシステム等に有用である。
【図面の簡単な説明】
【０１４４】
【図１】本発明のカードシステムの構成を示すブロック図である。
【図２】本発明のカードシステムが備えるポイント管理装置の構成を示すブロック図である。
【図３】オーソリ件別ＤＢに記憶されるオーソリ件別情報のフォーマットの一例を示す概念図である。
【図４】加盟店情報ＤＢに記憶される加盟店情報のフォーマットの一例を示す概念図である。
【図５】天候情報ＤＢに格納されている天候情報のフォーマットの一例を示す概念図である。
【図６】第１利用件数情報ＤＢに記憶される第１利用件数情報のフォーマットの一例を示す概念図である。
【図７】第２利用件数情報ＤＢに記憶される第２利用件数情報のフォーマットの一例を示す概念図である。
【図８】第３利用件数情報ＤＢに記憶される第３利用件数情報のフォーマットの一例を示す概念図である。
【図９】第４利用件数情報ＤＢに記憶される第４利用件数情報のフォーマットの一例を示す概念図である。
【図１０】第１加算ポイントルールＤＢに記憶される第１加算ポイントルール情報のフォーマットの一例を示す概念図である。
【図１１】第２加算ポイントルールＤＢに記憶される第２加算ポイントルール情報のフォーマットの一例を示す概念図である。
【図１２】第３加算ポイントルールＤＢに記憶される第３加算ポイントルール情報のフォーマットの一例を示す概念図である。
【図１３】第４加算ポイントルールＤＢに記憶される第４加算ポイントルール情報のフォーマットの一例を示す概念図である。
【図１４】第５加算ポイントルールＤＢに記憶される第５加算ポイントルール情報のフォーマットの一例を示す概念図である。
【図１５】加算ポイントルール適用結果ＤＢに記憶される適用結果情報のフォーマットの一例を示す概念図である。
【図１６】会員・月別ポイント集計ＤＢに記憶されるポイント集計情報のフォーマットの一例を示す概念図である。
【図１７】利用実績ＤＢに記憶される利用実績情報のフォーマットの一例を示す概念図である。
【図１８】第１利用件数情報を生成する場合における本発明のポイント管理装置の動作の流れを示すフローチャートである。
【図１９】第２利用件数情報を生成する場合における本発明のポイント管理装置の動作の流れを示すフローチャートである。
【図２０】第３利用件数情報を生成する場合における本発明のポイント管理装置の動作の流れを示すフローチャートである。
【図２１】第４利用件数情報を生成する場合における本発明のポイント管理装置の動作の流れを示すフローチャートである。
【図２２】加算ポイントルールを適用する対象となるカード会員を特定する場合における本発明のポイント管理装置の動作の流れを示すフローチャートである。
【図２３】加算ポイントルールを適用される旨の通知を行う場合における本発明のポイント管理装置の動作の流れを示すフローチャートである。
【図２４】ポイント集計における本発明のポイント管理装置の動作の流れを示すフローチャートである。
【図２５】加算ポイント計算処理における本発明のポイント管理装置の動作の流れを示すフローチャートである。
【符号の説明】
【０１４５】
１      ポイント管理装置
２      会員側端末装置
３      カード決済システム
４      加盟店側端末装置
１０    カードシステム
１１    ＣＰＵ
１２    メモリ
１３    表示部
１４    入力部
１５    通信インタフェース
１６    ハードディスク
１６０１  オーソリ件別データベース
１６０２  加盟店情報データベース
１６０３  天候情報データベース
１６０４  第１利用件数情報データベース
１６０５  第２利用件数情報データベース
１６０６  第３利用件数情報データベース
１６０７  第４利用件数情報データベース
１６０８  第１加算ポイントルールデータベース
１６０９  第２加算ポイントルールデータベース
１６１０  第３加算ポイントルールデータベース
１６１１  第４加算ポイントルールデータベース
１６１２  第５加算ポイントルールデータベース
１６１３  加算ポイントルール適用結果データベース
１６１４  会員・月別ポイント集計データベース
１６１５  利用実績データベース
１６１６  対象会員データベース
【図１】
0004392436.tif 000002
【図２】
0004392436.tif 000003
【図３】
0004392436.tif 000004
【図４】
0004392436.tif 000005
【図５】
0004392436.tif 000006
【図６】
0004392436.tif 000007
【図７】
0004392436.tif 000008
【図８】
0004392436.tif 000009
【図９】
0004392436.tif 000010
【図１０】
0004392436.tif 000011
【図１１】
0004392436.tif 000012
【図１２】
0004392436.tif 000013
【図１３】
0004392436.tif 000014
【図１４】
0004392436.tif 000015
【図１５】
0004392436.tif 000016
【図１６】
0004392436.tif 000017
【図１７】
0004392436.tif 000018
【図１８】
0004392436.tif 000019
【図１９】
0004392436.tif 000020
【図２０】
0004392436.tif 000021
【図２１】
0004392436.tif 000022
【図２２】
0004392436.tif 000023
【図２３】
0004392436.tif 000024
【図２４】
0004392436.tif 000025
【図２５】
0004392436.tif 000026